(57)【要約】【課題】建物の内部に使い勝手の良い洗濯室を設けながら他の居住空間のためのスペースを十分に取ることができ、これにより、建物の内部空間を有効的に利用することができるとともに居住性を向上させることができる建物を提供することを目的とする。【解決手段】下階の床１の上に上階の床２と中間床３とが設けられ、前記上階の床２と下階の床１との間が高天井空間４とされ、かつ前記中間床３と下階の床１との間が低天井空間５とされた建物Ａにおいて、前記低天井空間５には、前記高天井空間４に面して洗濯室６が設けられていることを特徴とする建物Ａ。【選択図】図１
2006322225.tif 000002
【特許請求の範囲】
【請求項１】
下階の床の上に上階の床と中間床とが設けられ、前記上階の床と下階の床との間が高天井空間とされ、かつ前記中間床と下階の床との間が低天井空間とされた建物において、
前記低天井空間には、前記高天井空間に面して洗濯室が設けられていることを特徴とする建物。
【請求項２】
請求項１に記載の建物において、
前記洗濯室には、洗濯機を設置する洗濯機室と、洗濯物を乾燥させるための乾燥室とが、前記洗濯機室から前記乾燥室に向かって洗濯物を供給するための供給口を介して連続的に設けられており、
前記洗濯機室には、この洗濯機室と前記高天井空間とを連通する開口部が洗濯機に面して設けられ、この開口部には開閉自在な戸が設けられていることを特徴とする建物。
【請求項３】
請求項２に記載の建物において、
前記乾燥室には、この乾燥室から前記洗濯機室にわたって、洗濯物を掛ける複数のハンガーを回転循環する回転循環装置が設置されていることを特徴とする建物。
【請求項４】
請求項１〜３のいずれか一項に記載の建物において、
前記中間床上にリビング、ダイニングおよびキッチン等を含む共用居住空間を配置したことを特徴とする建物。
【請求項５】
請求項１〜４のいずれか一項に記載の建物において、
前記低天井空間の天井高は０．９ｍ〜１．４ｍに設定されていることを特徴とする建物。
【発明の詳細な説明】
【技術分野】
【０００１】
本発明は、下階の床の上に上階の床と中間床とが設けられ、前記上階の床と下階の床との間が高天井空間とされ、かつ前記中間床と下階の床との間が低天井空間とされた建物に関する。
【背景技術】
【０００２】
従来、洗濯物の乾燥は、屋外で天日干しを行うか、乾燥機を用いるか、浴室に温風機を配設したいわゆる浴室兼用乾燥室で行っていた。しかし、このような乾燥方法では、天候の影響を始め、洗濯物の型崩れや乾燥効率等、様々な問題があった。
そこで、このような問題を解決し得る技術として、断熱構造及び気密構造を有し、乾燥手段を設けた乾燥室を、必要乾燥量に適した広さで、洗濯機に近接して、建物の一部屋として独立に設けた屋内乾燥室が知られている（特許文献１参照。）。
【０００３】
また、このような屋内乾燥室は、洗濯機が設置される洗面室に隣接し、建物の一部屋として設けられており、洗濯物を干す際には、まず前記洗面室に入り、前記洗濯機から洗濯物を取り出してから、前記屋内乾燥室に運んで乾燥作業が行うようになっている。
【特許文献１】特開２００２−１３８６９４号公報
【発明の開示】
【発明が解決しようとする課題】
【０００４】
ところで、建物の設計・建築においては、延べ床面積が問題となることが多い。この問題は、特に、敷地面積に対する建物の建ぺい率や容積率との関係において重要であり、例えば、近年において、３階建ての戸建て住宅の建築も多く見られるが、敷地面積が十分でない場合には、建ぺい率や容積率との関係で床面積を抑制する必要性が生じる。
【０００５】
ところが、このような事情を考慮しつつ、上述したような屋内乾燥室を建物内部に設けた場合、屋内乾燥室用のスペースをとるために、例えばリビングやキッチン等、他の居住空間を狭めなければならない場合があった。
一方、他の居住空間を狭めないために屋内乾燥室用のスペースを狭めてしまうと、この屋内乾燥室（以下、洗濯室）の使い勝手が良くない場合があった。
【０００６】
本発明の課題は、建物の内部に使い勝手の良い洗濯室を設けながら他の居住空間のためのスペースを十分に取ることができ、これにより、建物の内部空間を有効的に利用することができるとともに居住性を向上させることができる建物を提供することを目的とする。
【課題を解決するための手段】
【０００７】
請求項１に記載の発明は、例えば図１および図２に示すように、下階の床１の上に上階の床２と中間床３とが設けられ、前記上階の床２と下階の床１との間が高天井空間４とされ、かつ前記中間床３と下階の床１との間が低天井空間５とされた建物Ａにおいて、
前記低天井空間５には、前記高天井空間４に面して洗濯室６が設けられていることを特徴とする。
【０００８】
請求項１に記載の発明によれば、前記下階の床１と中間床３との間の低天井空間５に前記洗濯室６を設けるとともに、この洗濯室６の上部に位置する中間床３上に更に他の居住空間を設けることができる。また、前記洗濯室６を前記高天井空間４に面して設けることにより、前記洗濯室６の内部において低い姿勢を保ったまま洗濯作業を行う必要がなく、前記高天井空間４において立ったまま洗濯作業を行うことができるようになっているので使い勝手が良い。したがって、建物Ａの内部に使い勝手の良い洗濯室６を設けながら他の居住空間のためのスペースを十分に取ることが可能となるので、建物Ａの内部空間を有効的に利用することができるとともに居住性を向上させることができる。
【０００９】
請求項２に記載の発明は、例えば図１に示すように、請求項１に記載の建物Ａにおいて、
前記洗濯室６には、洗濯機７ａを設置する洗濯機室７と、洗濯物を乾燥させるための乾燥室８とが、前記洗濯機室７から前記乾燥室８に向かって洗濯物を供給するための供給口９を介して連続的に設けられており、
前記洗濯機室７には、この洗濯機室７と前記高天井空間４とを連通する開口部７ｂが洗濯機７ａに面して設けられ、この開口部７ｂには開閉自在な戸７ｃが設けられていることを特徴とする。
【００１０】
請求項２に記載の発明によれば、前記洗濯機室７と前記高天井空間４とを連通する開口部７ｂが洗濯機７ａに面して設けられているため、前記洗濯機室７の内部において低い姿勢を保ったまま洗濯作業を行う必要がなく、前記高天井空間４において立ったまま洗濯作業を行うことができるようになっているので使い勝手が良い。また、前記洗濯機室７と乾燥室８とが前記供給口９を介して連続的に設けられていることにより、前記洗濯機７ａから洗濯物を取り出して、前記乾燥室８に連続的に供給することができるので、より使い勝手が良い。
さらに、前記開口部７ｂに開閉自在な戸７ｃが設けられ、洗濯作業を行わないときには前記洗濯機室７を遮蔽することができるので見映えが良い。
【００１１】
請求項３に記載の発明は、例えば図１に示すように、請求項２に記載の建物Ａにおいて、
前記乾燥室８には、この乾燥室８から前記洗濯機室７にわたって、洗濯物を掛ける複数のハンガー８ａを回転循環する回転循環装置８ｂが設置されていることを特徴とする。
【００１２】
請求項３に記載の発明によれば、前記洗濯機室７にて前記複数のハンガー８ａに洗濯物を掛けることができ、洗濯物が掛けられたこれら複数のハンガー８ａが前記回転循環装置８ｂによって前記乾燥室８から前記洗濯室６にわたって回転循環するので、前記乾燥室８の内部において低い姿勢を保ったまま洗濯物乾燥作業を行う必要がなく、前記高天井空間４において立ったまま洗濯物乾燥作業を行うことができるようになっているので使い勝手が良い。
また、洗濯物が掛けられた複数のハンガー８ａが回転循環するようになっているので、洗濯物に常に風が当たるようになり、洗濯物を効率良く乾燥させることが可能となる。
【００１３】
請求項４に記載の発明は、例えば図１に示すように、請求項１〜３のいずれか一項に記載の建物Ａにおいて、
前記中間床３上にリビング３０ａ，ダイニング３０ｂおよびキッチン３０ｃ等を含む共用居住空間３０を配置したことを特徴とする。
【００１４】
請求項４に記載の発明によれば、前記中間床３の下部に洗濯室６を設けながらも、前記中間床３上にリビング３０ａ，ダイニング３０ｂおよびキッチン３０ｃ等を含む共用居住空間３０を配置することができるので、建物Ａの内部空間を有効的に利用することができるとともに居住性を向上させることができる。
また、上階と下階を行き来する場合に、前記共用居住空間３０を通過することになるので、住人どうしのコミュニケーションの機会を容易に得ることができるので好ましい。
さらに、前記共用居住空間３０を前記中間床３上に配置したので、前記洗濯室６が動線から外れることとなり、来客時等において目立ち難くすることができる。
【００１５】
請求項５に記載の発明は、例えば図１および図２に示すように、請求項１〜４のいずれか一項に記載の建物Ａにおいて、
前記低天井空間５の天井高は０．９ｍ〜１．４ｍに設定されていることを特徴とする。
【００１６】
請求項５に記載の発明によれば、前記低天井空間５の天井高を、０．９ｍ〜１．４ｍに設定することによって、人が前記低天井空間５に入って、何とか作業ができる最低限の高さを確保でき、また、このように天井高を必要最低限に押さえることで、建物Ａの高さが高くなることによって隣接する建物Ａに及ぼす日照現象等の影響を極力少なくすることができる。
【発明の効果】
【００１７】
本発明によれば、下階の床と中間床との間の低天井空間に洗濯室を設けるとともに、この洗濯室の上部に位置する中間床上に更に他の居住空間を設けることができ、また、前記洗濯室を高天井空間に面して設けることにより、この高天井空間において立ったまま洗濯作業を行うことができることから、建物の内部に使い勝手の良い洗濯室を設けながら他の居住空間のためのスペースを十分に取ることが可能となるので、建物の内部空間を有効的に利用することができるとともに居住性を向上させることができる。
【発明を実施するための最良の形態】
【００１８】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１９】
本実施の形態の建物Ａは、図１および図２に示すように、下階の床１の上に上階の床２と中間床３とが設けられ、前記上階の床２と下階の床１との間が高天井空間４とされ、かつ前記中間床３と下階の床１との間が低天井空間５とされたものであり、
前記低天井空間５には、前記高天井空間４に面して洗濯室６が設けられている。
【００２０】
前記下階の床１は、図１に示すように、本実施の形態では建物Ａの１階部分となっている。この下階の床１の左側上方には前記中間床３が設けられており、下階の床１と中間床３との間が前記低天井空間５とされている。
前記下階の床１上には、前記低天井空間５の他に、玄関１ａ，トイレ１ｂ，収納所１ｃ，和室１ｄ，廊下１ｅ，洗面室１ｆ，浴場１ｇ，客間１ｈ等が設けられている。そして、前記客間１ｈには、前記中間床３に続く階段１ｉが設けられている。また、前記玄関１ａの外部の玄関アプローチ１ｊには、前記中間床３の外部のウッドデッキ３ａに続く階段１ｋが設けられている。
【００２１】
前記上階の床２は、図２に示すように、本実施の形態では建物Ａの２階部分となっている。この上階の床２上には、前記中間床３からの階段２ａや、複数の部屋２ｂ〜２ｄ、これら複数の部屋２ｂ〜２ｄに面する廊下２ｅ等が設けられている。
【００２２】
前記中間床３は、図１に示すように、前記下階の床１からの階段１ｉの他に、リビング３０ａ，ダイニング３０ｂおよびキッチン３０ｃ等を含む共用居住空間３０が設けられている。すなわち、前記低天井空間５を下部に配しながらも、前記中間床３上にリビング３０ａ，ダイニング３０ｂおよびキッチン３０ｃ等を含む共用居住空間３０を配置することができるので、建物Ａの内部空間を有効的に利用することができるとともに居住性を向上させることができるようになっている。
また、上階と下階を行き来する場合に、前記共用居住空間３０を通過することになるので、住人どうしのコミュニケーションの機会を容易に得ることができるので好ましい。すなわち、帰宅時に玄関１ａから建物Ａ内部に入って、自室に行くには必ず前記共用居住空間３０に立ち入らなければない構造となっているためである。
さらに、前記共用居住空間３０を前記中間床３上に配置したので、前記洗濯室６が動線から外れることとなり、来客時等において目立ち難くすることができる。これは、つまり、来客者が玄関１ａから建物Ａ内部に入って前記客間１ｈへと向かうため、前記下階の床１の左側に位置する前記洗濯室６には近寄ることがないためである。
そして、前記中間床３から前記上階の床２までの天井高は、ほぼ一般的な高さに設定されているが、前記リビング３０ａは、前記上階の床２を貫いた吹抜け空間に設定されて、開放感のある空間となっている。
【００２３】
前記高天井空間４は、前記下階の床１から前記上階の床２までの高さに設定された空間であり、前記下階の床１上に配置された前記トイレ１ｂ，収納所１ｃ，和室１ｄ，廊下１ｅ，洗面室１ｆ，浴場１ｇ，客間１ｈ等が天井高の高い部分となっている。また、前記玄関１ａは、図２に示すように、前記上階の床２を貫いた吹抜け空間となっている。
【００２４】
前記低天井空間５は、上述のように、前記下階の床１から前記中間床３までの高さに設定された空間であり、この低天井空間５には、図１に示すように、前記洗濯室６と複数の収納室４ａ〜４ｃが設けられている。
なお、前記複数の収納室４ａ〜４ｃのうち一室４ｃが、前記中間床３の外部のウッドデッキ下部４ｄに連続する土間面４ｅを備えており、前記玄関１ａ以外にも前記低天井空間５から外部へと出ることが可能となっている。
【００２５】
一方、前記低天井空間５の天井高は０．９ｍ〜１．４ｍに設定されており、これによって、人が前記低天井空間５に入って、何とか作業ができる最低限の高さを確保でき、また、このように天井高を必要最低限に押さえることで、建物Ａの高さが高くなることによって隣接する建物Ａに及ぼす日照現象等の影響を極力少なくすることができるようになっている。
【００２６】
前記洗濯室６には、洗濯機７ａを設置する洗濯機室７と、洗濯物を乾燥させるための乾燥室８とが、前記洗濯機室７から前記乾燥室８に向かって洗濯物を供給するための供給口９を介して連続的に設けられている。
また、前記洗濯機室７には、この洗濯機室７と前記高天井空間４とを連通する開口部７ｂが洗濯機７ａに面して設けられ、この開口部７ｂには開閉自在な戸７ｃが設けられている。
【００２７】
このような洗濯室６によれば、前記洗濯機室７と前記高天井空間４とを連通する開口部７ｂが洗濯機７ａに面して設けられているため、前記洗濯機室７の内部において低い姿勢を保ったまま洗濯作業を行う必要がなく、前記高天井空間４において立ったまま洗濯作業を行うことができるようになっているので使い勝手が良い。
また、前記洗濯機室７と乾燥室８とが前記供給口９を介して連続的に設けられていることにより、前記洗濯機７ａから洗濯物を取り出して、前記乾燥室８に連続的に供給することができるので、より使い勝手が良い。
さらに、前記開口部７ｂに開閉自在な戸７ｃが設けられ、洗濯作業を行わないときには前記洗濯機室７を遮蔽することができるので見映えが良い。
【００２８】
一方、前記乾燥室８には、この乾燥室８から前記洗濯機室７にわたって、洗濯物を掛ける複数のハンガー８ａを回転循環する回転循環装置８ｂが設置されている。
このような乾燥室８によれば、前記洗濯機室７にて前記複数のハンガー８ａに洗濯物を掛けることができ、洗濯物が掛けられたこれら複数のハンガー８ａが前記回転循環装置８ｂによって前記乾燥室８から前記洗濯室６にわたって回転循環するので、前記乾燥室８の内部において低い姿勢を保ったまま洗濯物乾燥作業を行う必要がなく、前記高天井空間４において立ったまま洗濯物乾燥作業を行うことができるようになっているので使い勝手が良い。
また、洗濯物が掛けられた複数のハンガー８ａが回転循環するようになっているので、洗濯物に常に風が当たるようになり、洗濯物を効率良く乾燥させることが可能となる。
【００２９】
なお、本実施の形態において前記回転循環装置８ｂは、図示はしないが、無端状のベルト保持レールと、このベルト保持レールにて保持する無端状のベルト体と、このベルト体に所定間隔毎に取付けられる前記複数のハンガー８ａと、前記ベルト体を回転循環させる回転駆動装置とを備えた構成とするが、これに限られるものではなく、本発明の趣旨を逸脱しない範囲で適宜変更可能であることは言うまでも無い。
【００３０】
また、本実施の形態の建物Ａは、以上のような間取りで構成されているが、これに限られるものではなく、本発明の要旨を逸脱しない範囲で適宜変更可能であることは言うまでもない。
【００３１】
本実施の形態の建物Ａによれば、下階の床１と中間床３との間の低天井空間５に洗濯室６を設けるとともに、この洗濯室６の上部に位置する中間床３上に更に他の居住空間を設けることができ、また、前記洗濯室６を高天井空間４に面して設けることにより、この高天井空間４において立ったまま洗濯作業を行うことができることから、建物Ａの内部に使い勝手の良い洗濯室６を設けながら他の居住空間のためのスペースを十分に取ることが可能となるので、建物Ａの内部空間を有効的に利用することができるとともに居住性を向上させることができる。
【図面の簡単な説明】
【００３２】
【図１】本発明の建物における１階部分および共用居住空間の間取り図である。
【図２】図１に示す建物の２階部分の間取り図である。
【符号の説明】
【００３３】
Ａ  建物
１  下階の床
２  上階の床
３  中間床
４  高天井空間
５  低天井空間
６  洗濯室
【図１】
2006322225.tif 000003
【図２】
2006322225.tif 000004